(57)【要約】【課題】  カードホルダーの姿勢変更が可能であって、しかも、少しの物理的作用でカードホルダーが外れたり姿勢が変更されてしまったりすることのないフック式陳列什器用のプライスカード表示装置を提供する。【解決手段】  商品吊り下げ用の下段バー１６と表示用の上段バー１８とを有するコ字型フック１０の上段バー１８に着脱自在に取り付けられる継手２２と、プライスカードを装着し、継手２２を介してコ字型フック１０に支持されるカードホルダー２４とを有し、継手２２は、カードホルダー２４が取り付けられる受け部２６を有し、カードホルダー２４は、継手２２の受け部２６を上下から掴む上下把持部３０、３２を有し、カードホルダー２４の上下把持部３０、３２の双方に、カードホルダー２４の側面姿勢を複数段階に変更した状態で互いに噛み合う嵌合部３４、３６を形成し、嵌合部３４、３６は、上下把持部３０、３２の対向面に形成したカードホルダー２４の奥行き方向に傾斜して突出する複数の鋸刃形状部３８を有する。【選択図】図１
2015221062.tif 000002
【特許請求の範囲】
【請求項１】
商品吊り下げ用の下段バーと表示用の上段バーとを有するコ字型フックの前記上段バーに着脱自在に取り付けられる継手と、
プライスカードを装着し、前記継手を介して前記コ字型フックに支持されるカードホルダーとを有し、
前記継手は、前記プライスカードが取り付けられる受け部を有し、
前記カードホルダーは、前記継手の受け部を上下から掴む上下把持部を有し、
前記カードホルダーの上下把持部の少なくとも一方に、前記カードホルダーの側面姿勢を複数段階に変更した状態で互いに噛み合う嵌合部を形成し、
前記嵌合部は、前記上下把持部の対向面に形成した前記カードホルダーの奥行き方向に傾斜して突出する複数の鋸刃形状部を有することを特徴とするフック式陳列什器用のプライスカード表示装置。
【請求項２】
請求項１において、
前記鋸刃形状部は、上下把持部の対向面双方に形成されていることを特徴とするフック式陳列什器用のプライスカード表示装置。
【発明の詳細な説明】
【技術分野】
【０００１】
本発明は、フック式陳列什器用のプライスカード表示装置に関し、特に、プライスカードを装着し、継手を介してコ字型フックに支持されるフック式陳列什器用のプライスカード表示装置に関する。
【背景技術】
【０００２】
フック式陳列什器用のプライスカード表示装置として、例えば、特許文献１に示すような提案がなされている。
【０００３】
この特許文献１に示されるフック式陳列什器用のプライスカード表示装置は、コ字型フックの上段バーの先端に継手が上下動不能に取り付けられ、この継手には板状の受け部が設けられている。
【０００４】
カードホルダーの裏面には、受け部の上端を抱持する上把持部と、受け部の下面箇所で後方に延びる下把持部とが設けられ、この下把持部に受け部の下端が嵌合する複数の係合溝が形成された状態となっている。
【０００５】
そして、カードホルダーは、上把持部を支点にして、下部を押すことで簡単に姿勢変更可能とされている。
【先行技術文献】
【特許文献】
【０００６】
【特許文献１】実用新案登録第３１０６９２５号公報
【発明の概要】
【発明が解決しようとする課題】
【０００７】
前述の特許文献１に示されるプライスカード表示装置にあっては、カードホルダーの下把持部に形成した受け部の下端と嵌合する係合溝が、上把持部を支点にして、カードホルダーの下部を押すことで簡単にカードホルダーの姿勢変更が可能となっているため、継手の受け部下端が係合溝に入った状態となっていても、少しの物理的作用で受け部の下端が係合溝から外れてしまうこととなる。
【０００８】
本発明の目的は、カードホルダーの姿勢変更が可能であって、しかも、少しの物理的作用でカードホルダーが外れたり姿勢が変更されてしまったりすることのないフック式陳列什器用のプライスカード表示装置を提供することにある。
【課題を解決するための手段】
【０００９】
前記目的を達成するため、本発明のフック式陳列什器用のプライスカード表示装置は、商品吊り下げ用の下段バーと表示用の上段バーとを有するコ字型フックの前記上段バーに着脱自在に取り付けられる継手と、
プライスカードを装着し、前記継手を介して前記コ字型フックに支持されるカードホルダーとを有し、
前記継手は、前記プライスカードが取り付けられる受け部を有し、
前記カードホルダーは、前記継手の受け部を上下から掴む上下把持部を有し、
前記カードホルダーの上下把持部の少なくとも一方に、前記カードホルダーの側面姿勢を複数段階に変更した状態で互いに噛み合う嵌合部を形成し、
前記嵌合部は、前記上下把持部の対向面に形成した前記カードホルダーの奥行き方向に
傾斜して突出する複数の鋸刃形状部を有することを特徴とする。
【００１０】
本発明によれば、継手の受け部と前記カードホルダーの上下把持部の少なくとも一方に、カードホルダーの側面姿勢を複数段階に変更した状態で互いに噛み合う嵌合部を形成し、嵌合部は、上下把持部の対向面に形成したカードホルダーの奥行き方向に傾斜して突出する複数の鋸刃形状部を有することとしたため、カードホルダーの姿勢変更が可能であって、しかも、複数の鋸刃形状部が受け部と確実に噛み合うので、少しの物理的作用でカードホルダーが外れたり、姿勢が変更されてしまったりするのを防止することができる。
【００１１】
本発明においては、前記鋸刃形状部は、上下把持部の対向面双方に形成されるようにすることができる。
【００１２】
このような構成とすることにより、鋸刃形状部を上下把持部の対向面双方に形成することで、カードホルダーの姿勢変更の形態を増加させるとともに、少しの物理的作用でカードホルダーが外れたり、姿勢が変更されてしまったりするのを防止することができる。
【図面の簡単な説明】
【００１３】
【図１】本発明の一実施の形態にかかるフック式陳列什器用のプライスカード表示装置の断面図である。
【図２】プライスカード表示装置をコ字状フックに取り付けた状態を示す斜視図である。
【図３】図１の状態からカードホルダーの姿勢を変更した状態を示す断面図である。
【発明を実施するための形態】
【００１４】
以下、本発明の実施の形態について、図面を参照して説明する。
【００１５】
図１は、本発明の一実施の形態にかかるフック式陳列什器用のプライスカード表示装置の断面図、図２は図１のプライスカード表示装置をコ字状フックに取り付けた状態を示す斜視図で、このコ字型フック１０は、中空角型のビーム１２に上方から嵌る基体１４と、１本の線材を曲げて形成された下段バー１６と、上段バー１８とを備えている。
【００１６】
下段バー１６には、商品が吊り下げられるようになっている。
【００１７】
上段バー１８は、表示用のもので、先端が斜め上方に折り曲げられた継手支持部２０とされ、この継手支持部２０に、図１及び図３に示す継手２２が着脱自在に取り付けられるようになっている。
【００１８】
また、コ字型フック１０は、横方向に複数設けられ、この複数のコ字型フック１０に継手２０を介してカードホルダー２４が支持されるようになっている。
【００１９】
この継手２２には、カードホルダー２４が取り付けられる平板状の受け部２６が一体に設けられるようになっている。
【００２０】
カードホルダー２４は、長尺状の合成樹脂製のもので、表面側にプライスカードを視認可能に装着するプライスカード装着部２８を有するとともに、背面側に長手方向の任意の箇所で継手部２２の受け部２６を上下から掴む上把持部３０及び下把持部３２を一体に有するものとなっている。
【００２１】
上把持部３０及び下把持部３２の双方の対向面には、上把持部３０または下把持部３２の一方を支点として前後回動すると、カードホルダー２４の側面姿勢を複数段階に変更し
た状態で互いに噛み合う嵌合部３４、３６が形成されている。
【００２２】
嵌合部３４、３６は、上下把持部３０，３２の対向面に形成したカードホルダー２４の奥行き方向に傾斜して突出する長手方向に連続した複数の鋸刃形状部３８が形成されている。
【００２３】
また、各鋸歯形状部３８間には、継手２２の受け部２６の上下端に嵌脱する複数条の係合溝４０が形成された状態となっている。
【００２４】
したがって、例えば、図１の状態から図３に示すように、下把持部３２を支点として、カードホルダー２４を前方に回動させると、カードホルダー２４が前方に傾斜した状態に姿勢が変更されることとなる。
【００２５】
また、逆に、カードホルダー２４を後方に回動させると、カードホルダー２４が後方に傾斜した状態に姿勢が変更されることとなる。
【００２６】
さらに、本実施の形態においては、上下把持部３０、３２の双方に嵌合部３４、３６が形成されているので、上把持部３０を支点にしてカードホルダー２４を前後回動した場合にも同様に、カードホルダー２４の側面姿勢を複数段階に変更することができる。
【００２７】
また、本実施の形態においては、嵌合部３４、３６は、上下把持部３０、３２の双方の対向面に形成したカードホルダー２４の奥行き方向に傾斜して突出する複数の鋸刃形状部３８を有することとしたため、前述のようなカードホルダー２４の姿勢変更の形態が増加が可能であるに止まらず、複数の鋸刃形状部３８が受け部２６と確実に噛み合うので、少しの物理的作用でカードホルダー２４が外れたり、姿勢が変更されてしまったりするのを防止することができる。
【産業上の利用可能性】
【００２８】
本発明は、前記実施の形態に限定されるものではなく、本発明の要旨の範囲内において、種々の形態に変形可能である。
【００２９】
例えば、前記実施の形態では、上下把持部の双方の対向面に継手の受け部と嵌合する嵌合部を形成し、上下把持部の双方を支点としてカードホルダーを前後回動することで、カードホルダーの側面姿勢を複数段階に変更し得るようにしているが、この例に限定されるものではなく、嵌合部を上下把持部の一方のみに形成し、上下把持部の一方のみを支点として前後回動可能とすることも可能である。
【符号の説明】
【００３０】
１０  コ字型フック
１６  下段バー
１８  上段バー
２２  継手
２４  カードホルダー
２８  プライスカード装着部
３０  上把持部
３２  下把持部
３４、３６  嵌合部
３８  鋸刃形状部
【図１】
2015221062.tif 000003
【図２】
2015221062.tif 000004
【図３】
2015221062.tif 000005